(57)【要約】【課題】  弾性保持具の取付姿勢を安定に保持して組立作業性の改善を図ることができる磁気テープカートリッジを提供する。【解決手段】  本発明に係る弾性保持具３３は、リーダーピン３１の上端部３１ａに弾接する第１アーム部３３Ａと、リーダーピン３１の下端部３１ｂに弾接する第２アーム部３３Ｂと、これら第１，第２アーム部３３Ａ，３３Ｂを連結するベース部３３Ｃと、このベース部３３Ｃの下端からカートリッジ本体の底面に沿って延設された姿勢保持部としての板面部３３Ｅとを有している。この構成により、弾性保持具３３は、板面部３３Ｅによってカートリッジ本体に対する直立姿勢が安定に保持される。【選択図】        図４
2006018885.tif 000002
【特許請求の範囲】
【請求項１】
磁気テープが巻装されたリールと、このリールを回転可能に収容したカートリッジ本体と、前記磁気テープの一端に固着され前記磁気テープを引き出すためのリーダーピンと、前記カートリッジ本体の側壁内面に取り付けられ前記リーダーピンの上端部および下端部をそれぞれ着脱自在に保持する弾性保持具とを備えた磁気テープカートリッジにおいて、
前記弾性保持具は、前記リーダーピンの上端部に弾接する第１アーム部と、前記リーダーピンの下端部に弾接する第２アーム部と、前記第１，第２アーム部を連結するベース部と、このベース部の下端から前記カートリッジ本体の底壁内面に沿って延設された姿勢保持部とを有している
ことを特徴とする磁気テープカートリッジ。
【請求項２】
前記姿勢保持部は、前記ベース部に対して折り曲げられた板面部でなる
ことを特徴とする請求項１に記載の磁気テープカートリッジ。
【請求項３】
前記カートリッジ本体の底面には、前記姿勢保持部の取付位置を規定する収容部が凹設されている
ことを特徴とする請求項１に記載の磁気テープカートリッジ。
【請求項４】
前記カートリッジ本体の底面には、前記カートリッジ本体に対する前記弾性保持具の取付位置を規制する位置規制部が設けられている
ことを特徴とする請求項１に記載の磁気テープカートリッジ。
【請求項５】
前記ベース部の上縁には、前記カートリッジ本体の上壁内面に形成された係合突起が係合する切欠きが設けられている
ことを特徴とする請求項１に記載の磁気テープカートリッジ。
【請求項６】
前記第１，第２アーム部は、前記カートリッジ本体の側壁内面に対し平行に延びるストレート部を有し、前記カートリッジ本体の上壁内面および底壁内面には、前記各ストレート部の弾性変形の起点を定める突出部がそれぞれ設けられている
ことを特徴とする請求項１に記載の磁気テープカートリッジ。
【発明の詳細な説明】
【技術分野】
【０００１】
本発明は、磁気テープの端部にテープ引出し用のリーダーピンを備えた磁気テープカートリッジに関し、更に詳しくは、カートリッジ本体の内部においてリーダーピンの上端部および下端部を着脱自在に保持する弾性保持具の組付性を向上させた磁気テープカートリッジに関する。
【背景技術】
【０００２】
従来、コンピュータ等の外部記憶装置に用いられる記録媒体として使用されている磁気テープカートリッジには、単一のリールに磁気テープを巻装し、このリールをカートリッジ本体内に回転自在に収容したタイプのものが一般に知られている。この磁気テープカートリッジは、コンピュータ等のデータ保存用として用いられ、重要かつ膨大な情報が記録されているために、落下等の衝撃で使用不能にならない構造である必要がある。
【０００３】
上記単リール型の磁気テープカートリッジにおいては、磁気テープへ情報の書込み／読出し操作を行わせるために、ドライブ側に設けられた巻取リール（テイクアップリール）へ磁気テープを引き出すための部材が、磁気テープの一端に固着されている。この部材は、カートリッジの非使用時、カートリッジ本体のテープ引出口近傍に取り付けられた係留部材によって所定の位置に係留されている。
【０００４】
例えば、ＬＴＯフォーマット（リニアテープオープンフォーマット）の磁気テープカートリッジにあっては、磁気テープの一端に取り付けられている部材がリーダーピンに対応し、それをカートリッジ本体の所定位置に係留する部材が弾性保持具に対応することになる。
【０００５】
この弾性保持具は、リーダーピンの上端部および下端部を着脱自在に保持するもので、その形態としては、カートリッジ本体の上壁内面および底壁内面にそれぞれ別体として設置されたもの（例えば下記特許文献１参照）と、単一の部材で構成されたもの（例えば下記特許文献２参照）とが知られている。後者の構成は、前者の構成に比べて、部品点数を削減でき、組立作業性の点で優れている。
【０００６】
図１１〜図１３は、上記弾性保持具が単一の部材で構成された従来の磁気テープカートリッジの構成を示している。ここで、図１１は弾性保持具２によるリーダーピン３の保持形態を示すカートリッジ本体（下シェル１）の要部平面図、図１２は弾性保持具２の全体構成図、図１３は下シェル１に対する弾性保持具２の組付工程を説明する要部断面図である。
【０００７】
カートリッジ本体の隅部内方の所定位置には、リーダーピン３が弾性保持具２によって係留されている。この弾性保持具２は、リーダーピン３の上端部周面および下端部周面にそれぞれ弾接する一対のアーム部２Ａ，２Ｂと、これら一対のアーム部２Ａ，２Ｂを連結しカートリッジ本体の側壁内面に沿って直立するベース部２Ｃとを備えている。ベース部２Ｃの下縁部には、カートリッジ本体の底壁内面（下シェル１の内面）に突出形成された係合突起４の断面略Ｖ字形状の溝部４ａと係合する切欠き２Ｄが設けられている。なお、ベース部２Ｃの上縁部にも同様な切欠き２Ｅが設けられており、カートリッジ組付時において、カートリッジ本体の上壁内面（上シェルの内面）に突出形成された係合突起（図示略）と係合される。
【０００８】
このような構成の弾性保持具２は、下シェル１の側壁内面に沿って取り付けられるが、このとき切欠き２Ｄを係合突起４の溝部４ａに係合させることによって、弾性保持具２の取り付け位置が定められる。弾性保持具２は、切欠き２Ｄと係合突起４との係合作用によって、下シェル１に対する前後方向および横方向の相対移動が規制される。そして、下シェル１に対して上シェルを結合することによりカートリッジ本体が形成されるが、このとき、弾性保持具２のもう一方の切欠き２Ｅに対して上シェルの係合突起が係合することにより、弾性保持具２がカートリッジ本体の側壁内面に固定される。
【０００９】
【特許文献１】特開２００２−３０４８６５号公報
【特許文献２】特開２０００−２６０１５６号公報
【発明の開示】
【発明が解決しようとする課題】
【００１０】
上述した従来の磁気テープカートリッジにおいては、下シェル１の係合突起４に弾性保持具２の切欠き２Ｄを係合させたとき、下シェル１に対する弾性保持具２の前後方向における位置決め作用は得られるものの、弾性保持具２の直立状態を安定に保持することができないために、図１３Ｂに示すように、弾性保持具２が下シェル２の内方側へ倒れ易く、弾性保持具２の組付性悪化の原因になるという問題がある。
【００１１】
また、倒れが生じない程度にまで弾性保持具２の傾斜を抑えることができたとしても、この弾性保持具２の傾斜状態によっては、上シェルの結合時に上シェル内面の係合突起と弾性保持具２の切欠き２Ｅとの係合作業が困難となり、作業性が大きく損なわれるという問題がある。
【００１２】
本発明は上述の問題に鑑みてなされ、弾性保持具の取付姿勢を安定に保持して組立作業性の改善を図ることができる磁気テープカートリッジを提供することを課題とする。
【課題を解決するための手段】
【００１３】
以上の課題を解決するに当たり、本発明の磁気テープカートリッジにおいては、リーダーピンの上端部および下端部をそれぞれ弾性的に保持する弾性保持具の構成が、リーダーピンの上端部に弾接する第１アーム部と、リーダーピンの下端部に弾接する第２アーム部と、これら第１，第２アーム部を連結するベース部と、このベース部の下端からカートリッジ本体の底面に沿って延設された姿勢保持部とを有している。
【００１４】
この構成により、弾性保持具は、姿勢保持部によってカートリッジ本体に対する取付姿勢が安定に保持される。これにより、カートリッジ製造時における弾性保持具の倒れや傾斜等の位置ズレを防止して、カートリッジ組立作業性の向上を図ることができる。
【００１５】
本発明に係る弾性保持具の姿勢保持部は、ベース部の下端から当該ベース部に対して直角方向に折り曲げられた板面部で構成することができる。これにより、弾性保持具の直立姿勢を安定に保持することができる。
【００１６】
また、カートリッジ本体の底面に、姿勢保持部の取付位置を規定する収容部を凹設しておくことにより、弾性保持具の前後方向における位置決めを容易に行うことができるようになる。
【発明の効果】
【００１７】
本発明の磁気テープカートリッジによれば、リーダーピンを弾性的に保持する弾性保持具にその姿勢保持部を設けたので、カートリッジ本体に対する弾性保持具の取付姿勢を安定に保持することが可能となり、これにより弾性保持具の倒れや傾斜等の位置ズレを防止して、カートリッジ組立作業性を向上させることができる。
【発明を実施するための最良の形態】
【００１８】
以下、本発明の実施の形態について図面を参照して説明する。
【００１９】
図１〜図３は本発明の実施の形態による磁気テープカートリッジ２０の全体構成を示している。ここで、図１は磁気テープカートリッジ２０の全体斜視図、図２は磁気テープカートリッジ２０の下面側から見たときの全体斜視図、図３は磁気テープカートリッジ２０の分解斜視図である。まず、磁気テープカートリッジ２０の全体構成について説明する。
【００２０】
磁気テープカートリッジ２０は、各々合成樹脂材料の射出成形体でなる上シェル２１ａと下シェル２１ｂとを複数本のネジ部材４３により結合して形成されるカートリッジ本体２１を備え、その内部に磁気テープ２２を巻装した単一のリール２３を回転可能に収納している。リール２３は、磁気テープ２２の巻芯部となるリールハブ５１と、リールハブ５１の上端に接合された上フランジ４４と、リールハブ５１の下端に一体形成された下フランジ４５とを有し、それぞれ合成樹脂材料の射出成形体で形成されている。
【００２１】
リール２３の下面中央には、テープドライブ装置（記録再生装置）のリール回転駆動軸と係合するチャッキングギヤ２５が環状に形成されており、下シェル２１ｂの中央に設けられた開口部２４を介して外部へ露出している（図２）。このチャッキングギヤ２５の内周側には、上記リール回転駆動軸と磁気吸着する環状の磁性金属プレート４９がインサート成形によりリールハブ５１の底部外面に固着されている。
【００２２】
上シェル２１ａの内面とリール２３との間には、リールスプリング４８、リールロック部材４７およびスパイダー４６とが配置されており、これらにより、磁気テープカートリッジ２０の非使用時におけるリール２３の回転を抑止するリールロック機構が構成されている。
【００２３】
スパイダー４６は略三角形状を有し、その各頂点部において下方へ突出する複数の脚部４６ａが、リールハブ５１の内部に形成された挿入孔５１ｂにそれぞれ挿入されている。スパイダー４６の上面には摺接面４６ｂが設けられており、この摺接面４６ｂに対して、リールロック部材４７の下面中央に設けられた略球面形状の突出部（図示略）が接触し、これによりリールロック部材４７を回転可能に支持している。
【００２４】
リールロック部材４７は、コイルバネでなるリールロックスプリング４８の付勢力を受け、その底面に環状に形成されたギヤ部４７ａが、ハブ５１の内部に立設された円弧状の複数のギヤ部５１ａと噛合することにより、磁気テープカートリッジ２０の非使用時におけるリール２３の回転を規制する作用を行う。
【００２５】
なお、磁気テープカートリッジ２０の使用時には、図示しないテープドライブ装置のリール回転駆動軸がスパイダー４６の脚部４６ａを下方から押圧し、リールロックスプリング４８の付勢力に抗してリールロック部材４７を上方へ移動させる。これにより、リールロック部材４７のギヤ部４７ａとハブ５１のギヤ部５１ａとの噛合が解除されて、リール２３が回転自在とされる。
【００２６】
一方、カートリッジ本体２１の側壁２６Ａには、磁気テープ２２の一端を外部へ引き出すための引出口２７が設けられている。側壁２６Ａの内方には、当該側壁２６Ａと所定の間隔をおいて対向する壁部３９が形成されており、これら側壁２６Ａと壁部３９とによって、引出口２７を開閉するスライドドア２９の移動を案内するガイド溝４１が形成されている。なお、ガイド溝４１は、下シェル２１ｂ側だけでなく、図示せずとも上シェル２１ａ側にも同様な形態で構成されているものとする。
【００２７】
スライドドア２９の一側縁部には、テープドライブ装置のテープローディング機構との係合により当該スライドドア２９を開放するための係合部２９ａが設けられている。ガイド溝４１内には、スライドドア２９を閉位置へ付勢するＷ字状のトーションバネ５７が収容されている。
【００２８】
また、カートリッジ本体２１の側壁２６Ｂの内方には、磁気テープ２２に記録された情報の誤消去防止用のセイフティタブ５３がスライド自在に取り付けられているとともに、磁気テープ２２に記録された情報に関する内容を非接触で読み書き可能なＩＣ基板５４が傾斜配置されている。更に、上シェル２１ａの上面前方側には、テープドライブ装置に対するカートリッジの挿入方向を示す表示６０が設けられている。
【００２９】
そして、磁気テープ２２の一端部は、リーダーピン３１に固着されている。このリーダーピン３１は、引出口２７の内方側に設けられたピン保持部３０に対して着脱可能とされている。ピン保持部３０は、カートリッジ本体２１の上壁内面（上シェル２１ａの内面）および底壁内面（下シェル２１ｂの内面）において、リーダーピン３１の上端部および下端部をそれぞれ弾性的に保持する弾性保持具３３を備えている。
【００３０】
図４は弾性保持具３３とリーダーピン３１との関係を示す下シェル２１ｂ側の斜視図、図５は弾性保持具３３の平面図、図６はピン保持部３０における下シェル２１ｂ側の内面図で、Ａは弾性保持具３３の取付前、Ｂはその取付後を示している。そして、図７はピン保持部３０における上シェル２１ａ側の内面図である。
【００３１】
リーダーピン３１は、磁気テープ２２の一端が巻き付けられる金属製の軸部３１Ａと、この軸部３１Ａに対する磁気テープ２２の巻付位置を規定する一対のフランジ３１ｃ間に係止されたクランパ３１Ｂとで構成されている。リーダーピン３１は、弾性保持具３３により、ピン保持部３０において直立状態で係留されている。
【００３２】
弾性保持具３３は、リーダーピン３１の上端部３１ａ周面に弾接する第１アーム部３３Ａと、リーダーピン３１の下端部３１ｂ周面に弾接する第２アーム部３３Ｂと、これら第１，第２アーム部３３Ａ，３３Ｂを連結しカートリッジ本体２１の側壁２６Ｃの内面に沿って直立するベース部３３Ｃと、このベース部３３Ｃの上縁に形成された切欠き３３Ｄと、ベース部３３Ｃの下端から下シェル２１ｂの内面に沿って延設された板面部３３Ｅとを有している。
【００３３】
弾性保持具３３は、例えばステンレス等の金属板を打抜きプレス加工して形成されている。第１，第２アーム部３３Ａ，３３Ｂはそれぞれ同一の構成を有し、図５に示したように、ベース部３３Ｃの板面に平行に延びるストレート部３３ａと、このストレート部３３ａとベース部３３Ｃとを接続する基端部３３ｂと、ストレート部３３ａの先端を略Ｖ字状に折曲げ形成してなる弾接部３３ｃとで構成されている。
【００３４】
これら第１，第２アーム部３３Ａ，３３Ｂの取付位置に対応する上シェル２１ａおよび下シェル２１ｂのそれぞれの内面部には、第１，第２アーム部３３Ａ，３３Ｂを収容する収容溝３４ａ，３４ｂがそれぞれ凹設されている（図６Ａ，図７）。収容溝３４ａ，３４ｂは、リーダーピン３１の上端部３１ａおよび下端部３１ｂがそれぞれ収容される凹所３５ａ，３５ｂと同一高さに形成されている。凹所３５ａ，３５ｂは、引出口２７の周縁を部分的に欠落させて形成したテーパー面３７ａ，３７ｂに連続的に形成されている。
【００３５】
凹所３５ａ，３５ｂに位置するリーダーピン３１の各端部３１ａ，３１ｂは、第１，第２アーム部３３Ａ，３３Ｂの各々の弾接部３３ｃと凹所周壁３６ａ，３６ｂとの間においてそれぞれ弾性的に挟持されている。そして、第１，第２アーム部３３Ａ，３３Ｂをそれぞれ収容溝３４ａ，３４ｂの内部において弾性変形させることにより、リーダーピン３１の各端部３１ａ，３１ｂを凹所３５ａ，３５ｂに対して着脱自在としている。
【００３６】
なお、本実施の形態では、収容溝３４ａ，３４ｂの所定位置に、第１，第２アーム部３３Ａ，３３Ｂの各ストレート部３３ａの弾性変形の起点を定める突出部３８ａ，３８ｂをそれぞれ設けることにより、これら各ストレート部３３ａのバネ力を定量的に調整可能としている。
【００３７】
一方、弾性保持具３３の板面部３３Ｅは、ベース部３３Ｃの下端から略９０度下シェル２１ｂの内方側に折曲げ形成されてなり、本発明の「姿勢保持部」を構成する。即ち、この板面部３３Ｅは、下シェル２１ｂに対する弾性保持具３３の図４に示す直立姿勢を保持する機能を有している。なお、板面部３３Ｅの形状は、図示する四角形状に限らず、三角形状等の他の多角形状あるいは円形状等であってもよい。
【００３８】
下シェル２１ｂの内面には、板面部３３Ｅの取付位置を規定する収容部４０が凹設されている。収容部４０の形状および大きさは、板面部３３Ｅの形状および大きさに対応して決められており、収容部４０内に板面部３３Ｅが収容された際、この板面部３３Ｅの面内方向（少なくとも側壁２６Ｃの延在方向）の位置規制ができる形状とされている。なお、この収容部４０の周囲には、板面部３３Ｅを収容部４０内へ適正にガイドするためのテーパー状のガイド面４０ａが形成されている（図６Ｂ）。
【００３９】
更に、下シェル２１ｂの内面には、弾性保持具３３のベース部３３Ｃを側壁２６Ｃの内面との間で挟み込むための支持リブ６１ｂが立設されている。支持リブ６１ｂは、板面部３３Ｅを挟むようにして一対設けられ、これら支持リブ６１Ｃと側壁２６Ｃの内面側との間でベース部３３Ｃの底部２箇所を支持している。なお、側壁２６Ｃの内面側には、ベース部３３Ｃの背面側に対向するガイドリブ６２ｂが形成されている。また、側壁２６Ｃの上端面所定位置には、上シェル２１ａ側の側壁２６Ｃに対する超音波接合用の溶着リブ４２が形成されている。
【００４０】
支持リブ６１ｂは、カートリッジ本体２１に対する弾性保持具３３の取付位置を規制する位置規制部として設けられている。これら支持リブ６１ｂと側壁２６Ｃ内面側との間の隙間は、ベース部３３Ｃの板厚よりも比較的大きく設定されることによって、弾性保持具３３の組付性を確保しているが、これら支持リブ６１ｂと側壁２６Ｃ内面側との間でベース部３３Ｃを挟持する構成としてもよい。
【００４１】
上シェル２１ａ側も同様に、弾性保持具３３のベース部３３Ｃの上部を支持する支持リブ６１ａが上シェル２１ａの側壁２６Ｃ内面に立設されているとともに、この支持リブ６１ａに対向する上シェル２１ａの側壁内面側にはガイドリブ６２ａが形成されている。そして、これら支持リブ６１ａとガイドリブ６２ａとの間には、シェル結合時、弾性保持具３３の切欠き３３Ｄに係合する係合突起６３が形成されている。
【００４２】
図８Ａ，Ｂは下シェル２１ｂに対する弾性保持具３３の組付工程を模式的に示す要部断面図、図９は下シェル２１ｂに対する上シェル２１ａの組付工程を模式的に示す要部断面図、図１０は弾性保持具３３によるリーダーピン３１の保持状態を模式的に示す要部断面図である。
【００４３】
上述した構成の弾性保持具３３は、その板面部３３Ｅを下シェル２１ｂ側に向けて、下シェル２１ｂへ組み付けられる（図８Ａ）。このとき、ベース部３３Ｃは側壁２６Ｃの内面に沿わせるように直立させながら、支持リブ６１ｂと側壁２６Ｃの内面との間に組み込まれる。そして、板面部３３Ｅが下シェル２１ｂ内面の収容部４０内に配置されるとともに、第２アーム部３３Ｂが収容溝３４ｂ内に配置される（図８Ｂ）。これにより、弾性保持具３３は、下シェル２１ｂに対して位置ズレを起こすことなく組み込まれるともに、その直立状態が安定に保持される。
【００４４】
次に、上シェル２１ａを下シェル２１ｂに重ね合わせる（図９Ａ）。このとき、弾性保持具３３は所期の直立状態が保持されているので、弾性保持具３３のベース部３３Ｃを上シェル２１ａの支持リブ６１ａと側壁２６Ｃ内面との間に容易に組み込むことができ、更に、その係合突起６３を弾性保持具３３の切欠き３３Ｄへ係合される。上シェル２１ａと下シェル２１ｂとの結合後は、図９Ｂに示すように、支持リブ６１ａ，６１ｂによる支持作用および係合突起６３による係合作用を介して、弾性保持具３３がカートリッジ本体２１に固定保持される。その後、シェル結合用のネジ部材４３（図２）を介して上下シェル２１ａ，２１ｂ間が結合される。
【００４５】
以上のように構成される本実施の形態の磁気テープカートリッジ２０においては、その非使用時、リーダーピン３１は図１０に模式的に示すようにピン保持部３０に係留されている。即ち、リーダーピン３１の上端部３１ａ周面および下端部３１ｂ周面が、弾性保持具３３の第１アーム部３３Ａおよび第２アーム部３３Ｂと凹所周壁３６ａ，３６ｂとの間にそれぞれ弾性的に挟持されている。
【００４６】
磁気テープカートリッジ２０の使用時、テープドライブ装置によってスライドドア２９が開放された後、弾性保持具３３の各アーム部３３Ａ，３３Ｂを弾性変形させて、リーダーピン３１がテープドライブ装置のテイクアップリールへ向けて引き出される。そして、このテイクアップリールで磁気テープ２２が巻き取られ、磁気ヘッドによる情報の記録あるいは再生がなされる。
【００４７】
一方、テープドライブ装置から磁気テープカートリッジ２０が排出される際、磁気テープ２２がリール２３に巻き取られ、リーダーピン３１はピン保持部３０に係留される。このとき、リーダーピン３１の各端部３１ａ，３１ｂが引出口２７のテーパー面３７ａ，３７ｂを介してピン保持部３０へ誘導され、弾性保持具３３の各アーム部３３Ａ，３３Ｂを弾性変形させて凹所３５ａ，３５ｂに係留される。
【００４８】
以上のように、本実施の形態の磁気テープカートリッジによれば、単一の弾性保持具３３によってリーダーピン３１の上下各端部３１ａ，３１ｂを着脱自在に保持することができるので、カートリッジ構成部品の部品点数の削減を図ることができる。また、カートリッジ本体２１に対する弾性保持具３３の取付けに溶着等の固着作業が不要となるので、組付作業性を高めることができる。
【００４９】
更に、本実施の形態によれば、下シェル２１ｂに対する弾性保持具３３の取付姿勢を安定に保持することができるので、倒れや傾斜等の位置ズレを起こすことなく弾性保持具３３の直立姿勢を保持することができ、これにより、上シェル２１ａの組付けを容易にしてカートリッジ生産性の向上を図ることができる。
【００５０】
以上、本発明の実施の形態について説明したが、勿論、本発明はこれに限定されることなく、本発明の技術的思想に基づいて種々の変形が可能である。
【００５１】
例えば以上の実施の形態では、弾性保持具３３の直立姿勢を保持するための姿勢保持部を、ベース部３３Ｃの下端から直角方向に折曲げ形成した板面部３３Ｅで構成したが、これに代えて、当該姿勢保持部を、ベース部の下端から下シェル内面に沿って延設した複数本の脚で構成してもよい。
【図面の簡単な説明】
【００５２】
【図１】本発明の実施の形態による磁気テープカートリッジ２０の全体を示す斜視図である。
【図２】磁気テープカートリッジ２０を下シェル２１ｂ側から見たときの斜視図である。
【図３】磁気テープカートリッジ２０の分解斜視図である。
【図４】ピン保持部３０におけるリーダーピン３１およびこれを保持する弾性保持具３３の構成を示す下シェル２１ｂ側の斜視図である。
【図５】弾性保持具３３の平面図である。
【図６】ピン保持部３０の構成を示す下シェル２１ｂの内面図であり、Ａは弾性保持具３３の装着前、Ｂはその装着後を示している。
【図７】ピン保持部３０の構成を示す上ｈせる２１ａの内面図である。
【図８】下シェル２１ｂに対する弾性保持具３３の取付手順を説明する工程断面図である。
【図９】下シェル２１ｂに対する上シェル２１ａの取付手順を説明する工程断面図である。
【図１０】ピン保持部３０におけるリーダーピン３１およびこれを保持する弾性保持具３３の関係を模式的に示すピン保持部３０の断面図である。
【図１１】従来の磁気テープカートリッジにおけるピン保持部の構成を示す下シェル内面図である。
【図１２】従来の磁気テープカートリッジにおける弾性保持具の構成を示す斜視図である。
【図１３】従来の弾性保持具の組付手順を説明する工程断面図である。
【符号の説明】
【００５３】
２０…磁気テープカートリッジ、２１…カートリッジ本体、２１ａ…上シェル、２１ｂ…下シェル、２２…磁気テープ、２３…リール、２６Ｃ…側壁、２７…引出口、３０…ピン保持部、３１…リーダーピン、３３…弾性保持具、３３Ａ…第１アーム部、３３Ｂ…第２アーム部、３３Ｃ…ベース部、３３Ｄ…切欠き、３３Ｅ…板面部（姿勢保持部）、３４ａ，３４ｂ…収容溝、３５ａ，３５ｂ…凹所、３８ａ，３８ｂ…突出部、４０…収容部、６１ａ，６１ｂ…支持リブ（位置規制部）、６３…係合突起。
【図１】
2006018885.tif 000003
【図２】
2006018885.tif 000004
【図３】
2006018885.tif 000005
【図４】
2006018885.tif 000006
【図５】
2006018885.tif 000007
【図６】
2006018885.tif 000008
【図７】
2006018885.tif 000009
【図８】
2006018885.tif 000010
【図９】
2006018885.tif 000011
【図１０】
2006018885.tif 000012
【図１１】
2006018885.tif 000013
【図１２】
2006018885.tif 000014
【図１３】
2006018885.tif 000015